(57)【特許請求の範囲】
【請求項１】
巻き芯に巻回したロール状ラベル連続体を用紙供給軸に装填する用紙供給部と、この用紙供給部から引き出されたラベル連続体に印字する印字部と、を設けたプリンタにおいて、
前記用紙供給軸に前記ロール状ラベル連続体の側面に当接する一対の供給側ガイド板と、
ステッピングモータの駆動により前記一対の供給側ガイド板を前記用紙供給軸の軸心に沿って移動可能に設けられた供給側ガイド機構と、
前記一対の供給側ガイド板に設けられ巻き芯を検知するセンサー部と、
前記ステッピングモータを駆動させる操作部と、を備え、
前記操作部の操作により前記一対の供給側ガイド板を互いに接近する方向に移動し、前記センサー部が前記巻き芯を検知すると前記一対の供給側ガイド板の移動を停止するようにしたことを特徴とするプリンタ。
【請求項２】
前記供給側ガイド板の移動量を演算する制御部を設けたことを特徴する請求項１記載のプリンタ。
【請求項３】
前記用紙供給部と前記印字部との間に設けられ前記ラベル連続体の幅方向をガイドする中間ガイド部を設け、
前記中間ガイド部に前記ラベル連続体の側面を当接する一対の中間側ガイド板を有し、前記操作部の操作により前記一対の中間側ガイド板を前記供給側ガイド板の移動量に基づいて移動するようにしたことを特徴する請求項１記載のプリンタ。
【発明の詳細な説明】
【技術分野】
【０００１】
本発明は、用紙に印字するプリンタに関し、特にロール状の用紙を引き出した用紙に印字するプリンタに関する。
【背景技術】
【０００２】
ロール状の用紙を引き出し、引き出された用紙に印字するプリンタは、様々な設置場所で使用されている。
例えば、工場や物流倉庫などの物品を搬送する搬送ラインの近傍にプリンタが設置されている場合や高所に設置されている場合など使用者の都合上、設置されるスペースが限定される場合がある。
【０００３】
このように限られた設置場所に設置されたプリンタは、操作性やメンテナンス（保守）の作業効率が低下する。
例えば、ロール状の用紙の交換あるいはロール状の用紙の補充する際に、プリンタ内の用紙供給部にロール状の用紙を装填し、用紙供給部に設けられ、ロール状の用紙の側面を支持するガイド板をスライドさせて用紙の幅に合わせる作業を行う。
次に、印字部に向けて用紙を引き出し、用紙供給部と印字部との間に設けたガイド板を用紙の幅に合わせる作業を行う。
【０００４】
しかしながら、プリンタの設置場所とプリンタを操作するオペレータの位置が必ずしも好適な位置関係にない場合があり、この場合には、ロール状用紙の装填時に用紙供給部のガイド板の操作が十分に行われないことがあり、用紙の蛇行やジャムなどの問題が発生し、印字品質の低下や印字した用紙を使用できずに破棄しなければならない問題がある。
【０００５】
特許文献１は、サーマルヘッドと、用紙供給部との間に設けた幅寄せガイド手段に用紙幅検出センサを設け、幅寄せガイド手段を用紙の幅に合わせて幅寄せするだけで用紙幅を自動認識することができるので、上位ホストで印字装置内にセットされた用紙サイズを的確に認識できるため、指定の用紙幅でない用紙に印字し、用紙を浪費することが回避されることが開示されている。
【先行技術文献】
【特許文献】
【０００６】
【特許文献１】特開２００５−１３１９１２号公報
【発明の概要】
【発明が解決しようとする課題】
【０００７】
本発明は斯かる問題点を鑑みてなされたものであり、プリンタの操作時にオペレータが不十分な体勢であっても的確に操作することができるプリンタを提供することを目的としている。
また、ロール状の用紙の交換あるいはロール状の用紙の補充する際の作業時に、オペレータが不十分な体勢であっても的確に操作することができるプリンタを提供することを目的としている。
また、用紙の幅に合わせるガイド手段を手動操作することなく、的確に用紙の幅に合わせることができるプリンタを提供することを目的としている。
また、用紙の蛇行やジャムを極力防止することができるプリンタを提供することを目的としている。
【課題を解決するための手段】
【０００８】
本発明は、用紙の幅に合わせるガイド板に着目したもので、請求項１記載の発明の要旨は、巻き芯に巻回したロール状ラベル連続体を用紙供給軸に装填する用紙供給部と、この用紙供給部から引き出されたラベル連続体に印字する印字部と、を設けたプリンタにおいて、前記用紙供給軸に前記ロール状ラベル連続体の側面に当接する一対の供給側ガイド板と、ステッピングモータの駆動により前記一対の供給側ガイド板を前記用紙供給軸の軸心に沿って移動可能に設けられた供給側ガイド機構と、前記一対の供給側ガイド板に設けられ巻き芯を検知するセンサー部と、前記ステッピングモータを駆動させる操作部と、を備え、前記操作部の操作により前記一対の供給側ガイド板を互いに接近する方向に移動し、前記センサー部が前記巻き芯を検知すると前記一対の供給側ガイド板の移動を停止するようにしたことを特徴とするプリンタにある。
また請求項２記載の発明の要旨は、前記供給側ガイド板の移動量を演算する制御部を設けたことを特徴する請求項１記載のプリンタにある。
また請求項３記載の発明の要旨は、前記用紙供給部と前記印字部との間に設けられ前記ラベル連続体の幅方向をガイドする中間ガイド部を設け、前記中間ガイド部に前記ラベル連続体の側面を当接する一対の中間側ガイド板を有し、前記操作部の操作により前記一対の中間側ガイド板を前記供給側ガイド板の移動量に基づいて移動するようにしたことを特徴する請求項１記載のプリンタにある。
【発明の効果】
【０００９】
本発明のプリンタは、プリンタの操作時にオペレータが的確に操作することができ、ロール状の用紙の交換あるいはロール状ラベル連続体の補充する際の作業時に、的確にセット作業することができる。また、ロール状ラベル連続体を確実な所定位置に装填することができる。
【図面の簡単な説明】
【００１０】
【図１】本発明のプリンタの一例を示した概略構成図である。
【図２】（ａ）用紙供給部の上流側から見た用紙供給部にロール状ラベル連続体を装填した時を説明する説明図であり、（ｂ）供給側ガイド板を説明する説明図である。
【図３】用紙供給部側から見た中間ガイド部にラベル連続体を引き出した状態を説明する説明図である。
【図４】ロール状の用紙をセットする時の動作フローを説明する説明図である。
【発明を実施するための最良の形態】
【００１１】
本発明の実施の形態を図１ないし図３に基づいて説明する。
プリンタ１は主に、用紙供給部２、中間ガイド部３、ピッチ検出部４、印字部５、操作部６、制御部７とから構成されている。
【００１２】
用紙供給部２は、帯状の台紙Ｄに所定の間隔でラベルＬが複数仮着されているラベル連続体（用紙）Ｐを巻き芯４０に巻回したロール状ラベル連続体Rを回転可能に保持する用紙供給軸８と、ロール状ラベル連続体Ｒの両側面に当接する一対の供給側ガイド板１１ａ、１１ｂとが設けられている。
供給側ガイド板１１ａ、１１ｂは、後述するが用紙供給軸８の軸心に沿って移動可能に設けられている。
【００１３】
ラベル連続体Ｐは、案内ローラ９を介して印字部５へ繰出し可能にすることができる。
ラベル連続体ＰのラベルＬは紙類からなり、一方面に後述するサーマルヘッド３３の発熱体（図示せず）の発熱作用により感熱発色する感熱発色層を有した感熱発色面を有し、他方面に粘着剤（図示せず）が塗布された粘着面を有している
【００１４】
帯状の台紙Ｄには、シリコーンなどの剥離剤（図示せず）を塗布した剥離面に、ラベルＬの粘着面が剥離可能に仮着されている。
帯状の台紙Ｄには、ラベルＬが所定の間隔で複数仮着され、ラベルＬとラベルＬとが仮着されている間隔とほぼ同一間隔で、図示しないが基準マーク（黒色の矩形のマーク）が、帯状の台紙Ｄの裏面（ラベルＬが仮着された反対面）に形成されている。
また、用紙供給部２と中間ガイド部３との間には、フリーに回転する案内ローラ９が設けられ、ラベル連続体Ｐを中間ガイド部３に向けて案内することができる。
【００１５】
中間ガイド部３は、案内プレート３０と、後述するが中間側ガイド機構２０とが設けられている。
案内プレート３０は、ラベル連続体Pを印字部５に向けて案内するように傾斜状に設けられている。
また中間ガイド部３の案内プレート３０の下方には、ピッチ検出部４が配置されている。ピッチ検出部４は、所定の光を出射する図示せぬ発光部と発光部から出射された光を帯状の台紙Ｄからの反射光を受光し、受光した光の強度（単位時間当たりの受光量）に対応する電気信号を出力する図示せぬ受光部とからなり、帯状の台紙Ｄの裏面側に発光部と受光部を配し、帯状の台紙Ｄの裏面に印刷等によって形成された図示しない基準マークを受光部の受光量に基づいて検出するようにピッチ検出センサー３１が配置されている。
ピッチ検出センサー３１は、基準マークの検出結果に基づいて、ラベルＬの印字開始の基準位置などの基準データとして制御部７に供給することができる。
【００１６】
印字部５は、プラテンローラ３２とサーマルヘッド３３とが設けられるとともに、サーマルヘッド３３は、プラテンローラ３２に対し接離自在に設けられている。
プラテンローラ３２は、ステッピングモータ（図示せず）に接続され、このステッピングモータの駆動により、プラテンローラ３２が回転自在に駆動してラベル連続体Pを移送（図１中、右から左方向）することができる。
また、ラベル連続体Pは、プラテンローラ３２とサーマルヘッド３３とにより挟持され、制御部７からの印字指令によりプラテンローラ３２が駆動するとともに、サーマルヘッド３３が選択的に発熱体（図示せず）を発熱させることにより、ラベルＬの印字面に感熱発色層を発色させて、文字、記号、バーコードなどの視認情報を印字することができる。
【００１７】
次に用紙供給部２の供給側ガイド機構１０の詳細についについて図２に基づいて説明する。
供給側ガイド機構１０は主に、一対の供給側ガイド板１１ａ、１１ｂと、供給側ステッピングモータ（第一の駆動手段）１２と、送り機構（第一の送り機構）１３が設けられている。
用紙供給軸（図２中、一点鎖線部分）８は、鉛直方向に設けられた中間フレーム１ａに水平方向に方持ち状態で設けられ、ロール状ラベル連続体Ｒを回転可能に支持することができる。また用紙供給軸８は、中空部を形成することができる。
【００１８】
送り機構１３は、転向プーリ１４ａと、駆動プーリ１４ｂと、タイミングベルト１５と、が設けられている。
転向プーリ１４ａは、用紙供給軸８の開放端部側の内方（中空部）に、回転可能に配置されている。また中間フレーム１ａを介した裏面側には、駆動プーリ１４ｂが配置されている。
また中間フレーム１ａには、図示しない開口部が形成され、この開口部を介して輪状のタイミングベルト１５が転向プーリ１４ａと駆動プーリ１４ｂとの間を介装されている。
【００１９】
タイミングベルト１５には、金属製からなる供給側ガイド板１１ａ、１１ｂが設けられている。
各供給側ガイド板１１ａ、１１ｂは、ほぼ同一構造としているので、供給側ガイド板１１ａで説明する。
供給側ガイド板１１ａは、用紙当接部１６と、センサー部１７と、支持部１８と、を有している。
【００２０】
用紙当接部１６は、ロール状ラベル連続体Ｒの側面に当接して位置決めする当接面を有している。センサー部１７は、巻き芯４０を検知できる位置に反射型の第一物体検出センサー１７ａを埋設されている。
また支持部１８は、Ｌ字状の支持部材１８ａが両面に設けられ、タイミングベルト１５に固着することができる支持面を有している。
タイミングベルト１５に供給側ガイド板１１ａ、１１ｂを設けたことにより、タイミングベルト１５の駆動により、供給側ガイド板１１ａ、１１ｂを接近、離反可能に設けることができる。
【００２１】
駆動プーリ１４ｂの下方には、供給側ステッピングモータ１２が配置され、この供給側ステッピングモータ１２のモータ軸１２ａを鉛直方向に配置して、このモータ軸１２ｂにモータープーリ（図示せず）が固着されている。
このモータープーリと、駆動プーリ１４ｂとの間にタイミングベルト１９を介装されている。
【００２２】
このような構造とすることにより、ステッピングモータ１２を駆動することにより、モータープーリ（図示せず）および駆動プーリ１４ｂが回転駆動して、タイミングベルト１５を右旋方向（図２中、供給側ガイド板１１ａ、１１ｂが離反する方向）または左旋方向（図２中、供給側ガイド板１１ａ、１１ｂが接近する方向）の何れかに回転駆動することができる。
【００２３】
尚、第一物体検出センサー１７ａは、所定の光を出射する図示せぬ発光部と発光部から出射された光を巻き芯４０からの反射光を受光し、受光した光の強度（単位時間当たりの受光量）に対応する電気信号を出力する図示せぬ受光部とからなり、巻き芯４０からの受光量に基づいて検出するようにしている。
また第一物体検出センサー１７ａは、巻き芯４０を検出することにより、検出信号を制御部７に供給することができる。
【００２４】
中間フレーム１ａの近傍には近接センサー（図示せず）が設けられ、供給側ガイド板１１ｂが近づくことにより供給側ガイド板１１ｂを検出して、供給側ステッピングモータ１２を停止させるように制御することができ、供給側ガイド板１１ｂが停止した位置を基点データとすることができる。
尚、供給側ガイド板１１ｂには、供給側ガイド板１１ａと同様に、用紙当接部と、センサー部と、支持部、第一物体検出センサー１７ｂ、支持部材（図示せず）が設けられている。
【００２５】
次に、中間ガイド部３の中間ガイド機構２０詳細についについて図３に基づいて説明する。
中間ガイド部３は主に、中間ガイド機構２０と、案内プレート３０と、を備えている。
案内プレート３０は、中間フレーム１ａから水平方向に方持ち状態で設けられ、移送されるラベル連続体Ｐを案内プレート３０の表面に沿って印字部５に向けて案内することができるように配置されている。
【００２６】
また、中間ガイド機構２０には、一対の中間ガイド板２１ａ、２１ｂと、中間側ステッピングモータ（第二の駆動手段）２２と、送り機構（第二の送り機構）２３が設けることができる。
【００２７】
案内プレート３０には、ラベル連続体Ｐの幅方向に向けて長孔（図示せず）を形成することができ、この長孔に沿って中間ガイド板２１ａ、２１ｂが近接または離反方向に移送するように後述のタイミングベルト２５に設けられている。
送り機構２３は、転向プーリ２４ａと、駆動プーリ２４ｂと、タイミングベルト２５と、が設けられている。
また、案内ガイド板３０の下方（裏面側）には、フリーに回転する転向プーリ２４ａが配置されて、中間フレーム１ａを介した裏面側には、駆動プーリ２４ｂが配置されている。
さらに中間フレーム１ａには、図示しない開口部が形成され、この開口部を介して輪状のタイミングベルト２５が転向プーリ２４ａと駆動プーリ２４ｂとの間を介装されている。
【００２８】
タイミングベルト２５には、金属製からなる一対の中間側ガイド板２１ａ、２１ｂが設けれ、タイミングベルト２５の駆動により近接方向または離反方向に移動可能に設けられている。
各中間側ガイド板２１ａ、２１ｂは、ほぼ同一構造としているので、中間側ガイド板２１ａで説明する。
中間側ガイド板２１ａは、用紙ガイド部２６と、センサー部（第二物体検出センサー）２７と、支持部２８とを有している。
【００２９】
用紙ガイド部２６は、移送されるラベル連続体Ｐの側端に当接してラベル連続体Ｐの幅方向の位置決めすることができる。第二物体検出センサー２７は、ラベル連続体Ｐの側端を検知できる位置に光検出センサーが埋設されている。
この例での光検出センサーは、鉛直方向に光を照射し帯状台紙Ｄの端部を検出することができる。
【００３０】
また支持部２８は、Ｌ字状の支持部材２８ａが両面に設けられ、タイミングベルト２５に固着することができる支持面を有している。
タイミングベルト２５に供給側ガイド板２１ａ、２１ｂを設けたことにより、タイミングベルト２５の駆動により、中間側ガイド板２１ａ、２１ｂを接近、離反可能に設けることができる。
尚、中間側ガイド板２１ｂには、中間側ガイド板２１ａと同様に、用紙ガイド部２６と、センサー部（第二物体検出センサー）２７と、支持部２８、支持部材（図示せず）が設けられている。
【００３１】
駆動プーリ２４ｂの下方には、中間側ステッピングモータ２２が配置され、この中間側ステッピングモータ２２のモータ軸２２ａを鉛直方向に配置して、モータ軸２２ａにモータプーリ（図示せず）が固着されている。
このモータープーリと、駆動プーリ２４ｂとの間にタイミングベルト２９を介装されている。
【００３２】
このような構造とすることにより、ステッピングモータ２２を駆動することにより、モータープーリ（図示せず）および駆動プーリ２４ｂが回転駆動して、タイミングベルト２５を右旋方向（図３中、中間側ガイド板２１ａ、２１ｂが離反する方向）または左旋方向（図３中、中間側ガイド板２１ａ、２１ｂが接近する方向）の何れかに回転駆動することができる。
【００３３】
第二物体検出センサー２７は、所定の光を出射する図示せぬ発光部と発光部から出射された光をラベル連続体Ｐからの反射光を受光し、受光した光の強度（単位時間当たりの受光量）に対応する電気信号を出力する図示せぬ受光部とからなり、ラベル連続体Ｐの側端を検出することによる受光量に基づいて検出するようにしている。
また第二物体検出センサー２７は、ラベル連続体Ｐの側端を検出することにより、この検出信号を制御部７に供給することができる。
【００３４】
中間フレーム１ａの近傍には近接センサー（図示せず）が設けられ、中間側ガイド板２１ｂが近づくことにより中間側ガイド板２１ｂを検出して中間側ステッピングモータ２２を停止させるように制御することができ、中間側ガイド板２１ｂが停止した位置を基点（原点）データとして制御部７に供給することができる。
【００３５】
プリンタ１には、操作部６がプリンタ１の筐体の下方に設けることができる。
操作部６は、用紙セット釦６ａと、解除釦６ｂと、を並設することができる。
用紙セット釦６ａを押下することにより、供給側ステッピングモータ１２および中間側ステッピングモータ２２を駆動して、一対の供給側ガイド板１１ａ、１１ｂおよび中間側ガイド板２１ａ、２１ｂを近接する方向にスライドするように制御部７に信号を供給することができる。
【００３６】
また、解除釦６ｂを押下することにより、供給側ステッピングモータ１２および中間側ステッピングモータ２２を駆動して、一対の供給側ガイド板１１ａ、１１ｂおよび中間側ガイド板２１ａ、２１ｂを互いに離反する方向にスライドするように制御部７に信号を供給することができる。供給側ガイド板１１ｂおよび中間側ガイド板２１ｂが各近接センサー（図示せず）に検出されると、供給側ガイド板１１ａ、１１ｂおよび中間側ガイド板２１ａ、２１ｂを停止させることができるように制御部７に信号を供給することができる。
【００３７】
このように構成したプリンタ１の作用について説明する。
解除釦６ｂを押下して、供給側ガイド板１１ａ、１１ｂおよび中間側ガイド板２１ａ、２１ｂを離反する方向にスライド（移動）させて原点に戻すことができる。
次にロール状ラベル連続体Ｒを用紙供給部２の用紙供給軸８に装填して、ラベル連続体Ｐを案内ローラ９および中間ガイド部３を介して印字部５に引き出して、用紙セット釦６ａを押下する。
【００３８】
用紙セット釦６ａを押下することにより、供給側ガイド板１１ａ、１１ｂおよび中間側ガイド板２１ａ、２１ｂが各々近接する方向にスライドし、供給側ガイド板１１ａ、１１ｂが巻き芯４０に当接し、第一物体検出センサー１７の両方のセンサーが巻き芯４０を検知することにより供給側ガイド板１１ａ、１１ｂを停止させることができ、ロール状ラベル連続体Ｒの両側面を支持することができる。
供給側ガイド板１１ａ、１１ｂが近接する方向にスライドする時に、ロール状ラベル連続体Ｒを用紙供給軸８に沿って幅方向にスライドさせることができるようにしてあり、これにより、ロール状ラベル連続体Ｒの幅方向の中心をサーマルヘッド３３の中心に合わせるようにスライドして位置決めすることができる。
【００３９】
また中間側ガイド板２１ａ、２１ｂに設けた第二物体検出センサー２７の両方のセンサーがラベル連続体Ｐの側端を検出する条件により、中間側ガイド板２１ａ、２１ｂが停止することができ、ロール状ラベル連続体Ｒおよび繰り出されたラベル連続体Ｐの幅の中心にセットすることができる。
これにより、ラベル連続体の蛇行などを極力防止することができ、印字位置が幅方向にずれることを極力防止することができる。また、印字不良を極力防止することができる。
【００４０】
次に他の動作の例を図４の動作フローに基づいて説明する。
尚、前述の構成と同一の場合には、同一の符号を付し説明を省略する。
この動作例は、中間ガイド板２１ａ、２１ｂに第二物体センサー２７，２７の構成を省略した例で説明する。
【００４１】
ロール状ラベル連続体Ｒを供給軸８に装填後に、用紙セット釦６ａが押下されたか否かを判断する。（ステップＳ１）
用紙セット釦６ａが押下されたと判断した場合には、ステップＳ２に進み、押下されていない判断した場合には、ステップＳ１の処理を繰り返す。
【００４２】
ステップＳ１で用紙セット釦６ａが押下されるとステップＳ２に進み、供給側ガイド板１１ａ、１１ｂが互いに接近する方向にスライドして、ステップＳ３に進む。
ステップＳ３では、第一物体検出センサー１７ａ，１７ｂが巻き芯４０を検出したか否かを判断することができる。両方の第一物体検出センサー１７ａ、１７ｂが巻き芯４０を検出するとステップＳ４に進み、両方または一方でも第一物体検出センサー１７ａ、１７ｂが巻き芯４０を検出していない場合には、ステップＳ３の処理を繰り返す。
【００４３】
ステップＳ３で両方の第一物体検出センサー１７ａ、１７ｂが巻き芯４０を検出した場合には、ステップＳ４に進む。
ステップＳ４では、供給側ガイド板１１ａ、１１ｂのスライドを停止して、ステップＳ５に進む。
ステップＳ５では、供給側ガイド板１１ａ，１１ｂの移動量を制御部７で演算することができる。
供給ガイド板１１ａ、１１ｂが基点から供給側ガイド板１１ａ、１１ｂが停止した位置までの移動量を供給側ステッピングモータ１２の回転量から制御部７で演算し、ステップＳ６に進む。
【００４４】
ステップＳ６では、ステップＳ５で求められたステッピングモータ１２と移動量と同一の移動量を中間ガイド板２１ａ、２１ｂが接近する方向に移動することができる。
中間ガイド板２１ａ、２１ｂがステッピングモータ２２と同一の移動量と判断した場合には、ステップＳ７に進み、中間ガイド板２１ａ、２１ｂが停止する。
【００４５】
このように、供給側に設けた供給側ガイド板１１ａ、１１ｂの第一物体検出センサー１７ａ、１７ｂで、ロール状ラベル連続体Ｒの幅を演算することがで、この幅データに基づいて中間ガイド板２１ａ、２１ｂをラベル連続体Ｐの幅に合わせることができるので、中間ガイド板２１ａ、２１ｂにセンサーを設けることがなく、簡易な構造とすることができる。
また、用紙セット釦６ａを押下するだけで、用紙の幅に供給側ガイド板と中間ガイド板をセットすることができる。
また、用紙の幅に合わせる供給側ガイド板１１ａ、１１ｂおよび中間ガイド板２１ａ、２１ｂを手動操作することなく、的確に用紙の幅に合わせることができる。
【００４６】
この例では、用紙セット釦を押下することにより、供給側ガイド板１１ａ、１１ｂと中間ガイド板２１ａ、２１ｂをほぼ同時に移動するように説明したが、中間ガイド板を少し遅延させるタイミングで移動するようにしてもよい。
【００４７】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【符号の説明】
【００４８】
１      プリンタ
２      用紙供給部
３      中間ガイド部
４      ピッチ検出部
５      印字部
６      操作部
７      制御部
８      用紙供給軸
１０      供給側ガイド機構
１１ａ    供給側ガイド板
１１ｂ    供給側ガイド板
２０      中間ガイド機構
２１ａ    中間側ガイド板
２１ｂ  中間側ガイド板
Ｐ      ラベル連続体（用紙）
Ｒ      ロール状ラベル連続体
【図１】
0005405960.tif 000002
【図２】
0005405960.tif 000003
【図３】
0005405960.tif 000004
【図４】
0005405960.tif 000005